(57)【要約】【課題】手や指等の皮膚を殺菌消毒するために用いられる殺菌装置において、従来のようなアルコールや消毒液を使用することなく、安全かつ簡単に使用可能な装置を提供する事目的とする。【解決手段】空気溜め部４内に加熱手段５と送風手段６と制御部７とを備え、空気溜め部４内の空気を加熱し被殺菌対象物８表面にふきつけることによって、有害微生物を効率良く熱変性し、被殺菌対象物８表面に付着した雑菌を熱損傷により殺菌することを可能にする手指殺菌装置が得られる【選択図】図１
2006247098.tif 000002
【特許請求の範囲】
【請求項１】
吸入口と吹出口とを有した空気溜め部と加熱手段と送風手段と制御部とを備え、前記制御部は前記加熱手段と前記送風手段を制御し、前記加熱手段によって前記空気溜め部内の空気が加熱され、加熱された空気が前記送風手段によって吹出口から吹出され、吹出された空気が被殺菌対象物にぶつかることで被殺菌対象物が殺菌される構成とした手指殺菌装置。
【請求項２】
空気溜め部が断熱構造で構成されていることもしくは断熱材で構成されていることを特徴とする請求項１に記載の手指殺菌装置。
【請求項３】
空気溜め部内に温度検知手段を備え、前記温度検知手段によって空気溜め部内の空気温度を検知し、制御部が空気温度に応じて加熱手段による加熱を制御する構成とした請求項１または２に記載の手指殺菌装置。
【請求項４】
空気溜め部内に湿度検知手段を備え、前記湿度検知手段によって空気溜め部内の空気湿度を検知し、制御部が空気湿度に応じて加熱手段による加熱を制御する構成とした請求項１乃至３のいずれかに記載の手指殺菌装置。
【請求項５】
気化手段と水分保持手段を備え、前記水分保持手段は前記気化手段に水分を供給し、前記気化手段は空気溜め部内に水分を気化し、制御部が空気溜め部内の湿度に応じて前記気化手段を制御し空気溜め部内の空気の湿度を調節する構成とした請求項１乃至４のいずれかに記載の手指殺菌装置。
【請求項６】
吹出口から被殺菌対象物までの距離を検知する距離検知手段を備え、吹出口から被殺菌対象物までの距離に応じて制御部が加熱手段による加熱を制御する構成とした請求項１乃至５のいずれかに記載の手指殺菌装置。
【請求項７】
被殺菌対象物表面の温度を検知する表面温度検知手段を備え、被殺菌対象物表面の温度に応じて制御部が加熱手段による加熱を制御する構成とした請求項１乃至６のいずれかに記載の手指殺菌装置。
【請求項８】
被殺菌対象物表面の水分活性を検知する表面水分検知手段を備え、被殺菌対象物表面の水分活性に応じて制御部が加熱手段による加熱を制御する構成とした請求項１乃至７のいずれかに記載の手指殺菌装置。
【請求項９】
吸入口と吹出口にフィルターを備え、前記フィルターは空気中の浮遊粒子の流通を防ぐことのできる構成とした請求項１乃至８のいずれかに記載の手指殺菌装置。
【請求項１０】
赤外線を照射する光照射手段を備えた請求項１乃至９のいずれかに記載の手指殺菌装置。
【請求項１１】
空気中の浮遊粒子に正あるいは負の電荷を帯びさせるイオン化手段を空気溜め部内に備えた請求項１乃至１０のいずれかに記載の手指殺菌装置。
【請求項１２】
請求項１乃至１１のいずれかに記載の手指殺菌装置を備えた手洗乾燥機。
【請求項１３】
請求項１乃至１１のいずれかに記載の手指殺菌装置を備えたトイレ用便座。
【発明の詳細な説明】
【技術分野】
【０００１】
本発明は、衛生的環境を向上させることを目的とした装置に関するものであり、人や高等動物の皮膚表面や生活用品の表面に付着した微生物・害虫等を殺傷し、人体や高等動物に何ら障害を与えることなく安全に衛生状態を向上させることのできる殺菌装置に関するものである。
【背景技術】
【０００２】
近年、衛生志向の高まりから飲食店の手洗い場、あるいは公共施設や病院やホテルなどのトイレに手指消毒殺菌のための装置が設置されている。また、病原性大腸菌やウイルス性食中毒など手指の接触を介した伝染により不特定多数の人間が被害を受ける事例が起きているため、誰でも簡単かつ安全に手指を殺菌消毒する装置が、公共施設のみならず一般家庭まで含めた住環境に設置されることが望まれる。こうした手指消毒殺菌装置としてアルコールや薬液などの消毒液を手指に噴霧し消毒する装置が考案されている。また、オゾンや紫外線を利用することで殺菌効果を高めた装置もある。しかしながら、消毒液やアルコールやオゾンや紫外線は人体に有害であり肌荒れや失明の原因となり、また反復使用によりアレルギー症状を引き起こす可能性があることから、より安全で人体に何ら障害を与えることなく快適な状態を維持したまま手指を消毒殺菌する装置が望まれている。
【０００３】
従来、この種の殺菌装置は、食塩水を霧化し手指に噴霧し遠赤外線を照射すると共に送風手段による流れる空気を手指に吹き付る構成としたものが知られている（例えば、特許文献１参照）。
【０００４】
以下、その殺菌装置について図１４を参照しながら説明する。
【０００５】
図に示すように、手指殺菌装置１０１は水タンク１０２と噴霧手段１０３と遠赤外線放射器１０４と送風手段１０５からなり、水タンク１０２内に液体を入れておき、噴霧手段１０３によって霧化した前記液体を手指に付着させ、遠赤外線放射器１０４で手指に遠赤外線を照射すると共に、送風手段１０５から流れる空気を手指にふきつけることで、手指に付着している細菌を熱損傷させ殺菌する。
【特許文献１】特開２００３−４７４号公報
【発明の開示】
【発明が解決しようとする課題】
【０００６】
このような従来の手指殺菌装置では、遠赤外線放射装置を用いた熱殺菌操作を行う前に液体を手指に噴霧する必要があるため、殺菌効果を得るまでに時間がかかるという課題があり、短時間で殺菌させる手指殺菌装置が要求されている。
【０００７】
また、連続して使用するためには頻繁に液体を水タンクに補充する必要があるため、補充操作が面倒であるという課題があり、頻繁に液体を補充しなくても連続して使用できる手指殺菌装置が要求されている。
【０００８】
また、水タンク内に液体を長期間保存していた場合雑菌が繁殖する可能性があるため、液体を噴霧された手指に繁殖した雑菌が付着することでかえって衛生状態が悪くなるという課題があり、液体を手指に噴霧することなく殺菌消毒する手指殺菌装置が要求されている。
【０００９】
本発明は、このような従来の課題を解決するものであり、液体を噴霧することなく短時間で殺菌することができる手指殺菌装置を提供することを目的としている。
【００１０】
また、液体を噴霧することが無く、水タンク内に頻繁に液を補充すること無く連続して使用できる手指殺菌装置を提供することを目的としている。
【００１１】
また、液体を手指に直接噴霧することが無く、繁殖した雑菌を手指に付着することで衛生状態が悪くなることの無い手指殺菌装置を提供することを目的としている。
【課題を解決するための手段】
【００１２】
本発明の手指殺菌装置は上記目的を達成するために、吸入口と吹出口とを有した空気溜め部と加熱手段と送風手段と制御部とを備え、前記制御部は前記加熱手段と前記送風手段を制御し、前記加熱手段によって前記空気溜め部内の空気が加熱され、加熱された空気が前記送風手段によって吹出口から吹出され、吹出された空気が被殺菌対象物にぶつかることで被殺菌対象物が殺菌される構成としたものである。
【００１３】
この手段により短時間で殺菌することができる手指殺菌装置が得られ、また、水タンク内に頻繁に液を補充すること無く連続して使用できる手指殺菌装置が得られ、また、繁殖した雑菌を手指に付着することで衛生状態が悪くなることの無い手指殺菌装置が得られる。
【発明の効果】
【００１４】
本発明によれば短時間で殺菌することができるという効果のある手指殺菌装置を提供できる。
【００１５】
また、水タンク内に頻繁に液を補充すること無く連続して使用できる手指殺菌装置が提供できる。
【００１６】
また、繁殖した雑菌を手指に付着することで衛生状態が悪くなることの無い手指殺菌装置を提供できる。
【発明を実施するための最良の形態】
【００１７】
本発明の請求項１記載の発明は、吸入口と吹出口とを有した空気溜め部と加熱手段と送風手段と制御部とを備え、前記制御部は前記加熱手段と前記送風手段を制御し、前記加熱手段によって前記空気溜め部内の空気が加熱され、加熱された空気が前記送風手段によって吹出口から吹出され、吹出された空気が被殺菌対象物にぶつかることで被殺菌対象物が殺菌される構成としたものであり、加熱された空気が手指等の被殺菌対象物に吹付けられることによって手指が短時間に消毒殺菌されるという作用を有する。
【００１８】
また、空気溜め部が断熱構造で構成されていることもしくは断熱材で構成されていることを特徴とする請求項１に記載の手指殺菌装置としたものであり、加熱された空気が外気によって冷却されるのを断熱材が防止することによって、加熱された空気を空気溜め部に長時間保持するという作用を有する。
【００１９】
また、空気溜め部内に温度検知手段を備え、前記温度検知手段によって空気溜め部内の空気温度を検知し、制御部が空気温度に応じて加熱手段による加熱を制御する構成とした請求項１または２記載の手指殺菌装置としたものであり、温度検知手段が検知した温度に応じて加熱手段を制御することによって、空気溜め部内の空気温度を一定に保つ事ができるという作用を有する。
【００２０】
また、空気溜め部内に湿度検知手段を備え、前記湿度検知手段によって空気溜め部内の空気湿度を検知し、制御部が空気湿度に応じて加熱手段による加熱を制御する構成とした請求項１〜３記載の手指殺菌装置としたものであり、湿度検知手段が検知した湿度に応じて加熱手段を制御することによって、空気溜め部内の空気湿度に応じて温度を調節する事ができるという作用を有する。
【００２１】
また、気化手段と水分保持手段を備え、前記水分保持手段は前記気化手段に水分を供給し、前記気化手段は空気溜め部内に水分を気化し、制御部が空気溜め部内の湿度に応じて前記気化手段を制御し空気溜め部内の空気の湿度を調節する構成とした請求項１〜４のいずれかに記載の手指殺菌装置としたものであり、水分保持手段の保持している水分を気化手段が気化することによって、空気溜め部内の空気湿度を調節する事ができるという作用を有する。
【００２２】
また、吹出口から被殺菌対象物までの距離を検知する距離検知手段を備え、吹出口から被殺菌対象物までの距離に応じて制御部が加熱手段による加熱を制御する構成とした請求項１〜５のいずれかに記載の手指殺菌装置としたものであり、距離検知手段が検知した距離に応じて加熱手段を制御することによって、吹出し口から被殺菌対象物までの距離に応じて空気溜め部内の空気温度を調節する事ができるという作用を有する。
【００２３】
また、被殺菌対象物表面の温度を検知する表面温度検知手段を備え、被殺菌対象物表面の温度に応じて制御部が加熱手段による加熱を制御する構成とした請求項１〜６のいずれかに記載の手指殺菌装置としたものであり、表面温度検知手段によって検知した表面温度に応じて加熱手段を制御することによって、被殺菌対象物表面の温度に応じて空気溜め部内の空気温度を調節するという作用を有する。
【００２４】
また、被殺菌対象物表面の水分活性を検知する表面水分検知手段を備え、被殺菌対象物表面の水分活性に応じて制御部が加熱手段による加熱を制御する構成とした請求項１〜７のいずれかに記載の手指殺菌装置としたものであり、表面水分検知手段の検知した水分活性に応じて加熱手段を制御することによって、被殺菌対象物表面の水分活性に応じて空気溜め部内の空気温度を調節する事ができるという作用を有する。
【００２５】
また、吸入口と吹出口にフィルターを備え、前記フィルターは空気中の浮遊粒子の流通を防ぐことのできる構成とした請求項１〜８のいずれかに記載の手指殺菌装置としたものであり、フィルターが浮遊物質の流通を防ぐことによって、吹出口から吹出される空気を除菌する事ができるという作用を有する。
【００２６】
また、赤外線を照射する光照射手段を備えた請求項１〜９のいずれかに記載の手指殺菌装置としたものであり、光照射手段から放射された赤外線が手指等の被殺菌対象物表面に当たることで、赤外線によって殺菌効果を高める事ができるという作用を有する。
【００２７】
また、空気中の浮遊粒子に正あるいは負の電荷を帯びさせるイオン化手段を空気溜め部内に備えた請求項１〜１０のいずれかに記載の手指殺菌装置としたものであり、イオン化手段が被殺菌対象物表面にふきつけられる空気をイオン化することによって、イオン化空気によって殺菌効果を高める事ができるという作用を有する。
【００２８】
また、請求項１〜１１のいずれか記載の手指殺菌装置を具備した手洗乾燥機としたものであり、手洗浄後の乾燥時に手指殺菌装置を使用することによって、手洗洗浄後の衛生性を向上させる事ができるという作用を有する。
【００２９】
また、請求項１〜１１のいずれか記載の手指殺菌装置を具備したトイレ用便座としたものであり、糞便排泄後に手指殺菌装置を使用し皮膚および周囲環境を殺菌する事によって、糞便後の衛生性を向上させる事ができるという作用を有する。
【００３０】
以下、本発明の実施の形態について図面を参照しながら説明する。
【００３１】
（実施の形態１）
図１に示すように、手指殺菌装置１は、吸入口２と吹出口３を有した空気溜め部４と加熱手段５と送風手段６と制御手段７を備えている。加熱手段５は空気溜め部４内にあって吸入口２と吹出口３の間に配置されており、空気溜め部４内の空気は加熱手段５によって加熱される。加熱手段５としては、例えばニクロム線やカンタル線などの電熱線、あるいはハロゲンランプヒーターやカーボンランプヒーターやセラミックヒーターなど遠赤外線ヒーターが挙げられるが、ここに挙げた加熱手段５に限定される物でなく、短時間で発熱し制御可能であればいずれの加熱手段５を用いてもかまわない。送風手段６は空気溜め部４内に配置され、空気溜め部４内の空気が吹出口３から空気溜め部４外に吹出す様に吹出口３に接続されている。送風手段６としては、例えばシロッコファンやプロペラファンなどを用いたファンモーターであり、気流を発生させ一定方向に空気を送風させることが制御可能な物であればいずれの送風手段６を用いてもかまわない。
【００３２】
制御手段７は加熱手段５と送風手段６を制御するように配置され、加熱手段５による空気の加熱と送風手段６による送風を制御する。制御手段７としては、例えばスイッチなど指でオンオフが制御可能な物であり、スイッチのオンオフによって加熱手段５と送風手段６を駆動させることができる物であって、例えば電熱ヒーターである加熱手段５やファンモーターである送風手段６を駆動させることのできる回路を備えていることを特徴とするが、加熱手段５と送風手段６の駆動を制御することが可能な物であればいずれの制御手段を用いてもかまわない。加熱手段５および送風手段６が電力を消費する物である場合、手指殺菌装置１はＡＣ電源などから電力を得る必要があり、この場合ＡＣ電源に手指殺菌装置１を接続する必要があるが、電力の供給はＡＣ電源に限られるものではなく、例えば発電装置などの独立電源を内包する物であってもかまわない。送風手段６によって空気溜め部４内の空気が吹出されると同時に吸入口２から空気が空気溜め部４内に流入する。空気溜め部４内に流入した空気は吹出口３から吹出されるまで空気溜め部４内に一定時間とどまるので、空気が加熱手段５によって暖められる時間が十分確保される。空気溜め部４を設けることで加熱手段５による空気が効率的に加熱され、空気温度が殺菌効果を得る温度まで効率的に上昇する。殺菌効果を得る温度まで効率よく加熱された空気が吹出口３から吹出され、被殺菌対象物８の表面にふきつけられるので、被殺菌対象物８の表面に付着している雑菌等の有害微生物が効率よく熱変性され、被殺菌対象物８の表面が効率よく殺菌される。
【００３３】
ここで被殺菌対象物８とは例えば手や指などの皮膚であり、皮膚上に存在する雑菌としては大腸菌や黄色ブドウ球菌などの皮膚通過菌があげられる。大腸菌は５５℃から熱殺菌されることから、加熱手段５によって空気溜め部４内の空気温度を５５℃以上に加熱することで手指などの皮膚表面が殺菌消毒される。また、予め空気溜め部４内の空気を５５℃以上に加熱しておくことで、送風手段６を駆動させると同時に被殺菌対象物８である例えば手指の皮膚表面に瞬時に５５℃以上の空気がふきつけられ、短時間で手指皮膚表面を殺菌消毒することが可能となる。
【００３４】
上記構成において、加熱手段５によって空気溜め部４内の空気が効率よく加熱され、空気温度が殺菌効果をもつ温度まで効率よく上昇し、温度の上昇した空気が送風手段６によって被殺菌対象物８表面にふきつけられることによって、被殺菌対象物８表面の雑菌が効率よく熱変性されるため、被殺菌対象物８表面が短時間で殺菌消毒される。
【００３５】
このように本発明の実施の形態１の手指殺菌装置１によれば、加熱手段５を空気溜め部４の吸入口２と吹出口３の間に配置することによって、効率よく空気を加熱することができるようになり効率よく加熱された空気を送風手段６によって被殺菌対象物８の表面にふきつけられることによって、被殺菌対象物８表面を効率よく短持間で殺菌することができる。
【００３６】
また、熱殺菌する媒体とし空気を用いているため、アルコールや消毒液を使用する場合よりも安全に被殺菌対象物８の表面を殺菌することができる。なお、被殺菌対象物８が手や指のような人体の皮膚である場合においても、皮膚表面から水分が蒸発する際の潜熱により手や指自体が熱によって損傷を受けることが無いため、火傷することなく安全に手や指の表面のみ殺菌消毒することができる。
【００３７】
また、被殺菌対象物８が手や指のような人体の皮膚である場合において、本発明の手指殺菌装置を用いると、アルコールや消毒液を直接皮膚表面にふきつける事が無いので、アルコールや消毒液に対するアレルギー症状もしくは肌荒れ症状に悩まされることがない。
【００３８】
また、本発明の手指殺菌装置は殺菌する媒体を空気として、常に利用することができるため、殺菌のための媒体が欠乏することが無く、アルコールや消毒液を追加補充する必要が無く、被殺菌対象物８表面の殺菌目的に連続して使用する事ができる。
【００３９】
また、殺菌する媒体である空気は加熱手段５によって殺菌効果のある温度まで加熱されるものであるから雑菌の温床とならないため、衛生状態が悪くなることがない。
【００４０】
また、実施の形態１には、吸入口２および吹出口３は空気溜め部４にある開放した穴として記したが、弁などの開閉自在な構造をとる場合であっても同じように送風手段６によって一定方向に気流を発生させることができれば、上記目的の殺菌ができる。
【００４１】
（実施の形態２）
図２は空気溜め部４が断熱材９で構成されている手指殺菌装置１を示している。実施の形態１に記載した方法で空気溜め部４内の空気が殺菌効果のある温度まで上昇されるが、空気溜め部４を断熱材９で構成することで加熱された空気が冷めにくくなる。断熱材とは、例えばグラスウールやロックウール等の無機繊維系の断熱材や、ポリスチレンやポリウレタンやウレタン等の発泡プラスチック系断熱材や、セルロースファイバー等の木質繊維系の断熱材であるが、これら以外の材料であっても断熱効果のある材料が用いられていれば、同様の効果を得ることができる。
【００４２】
上記構成において、空気溜め部４内で加熱された空気が外気によって冷却されるのを防止することができるため、空気溜め部４内の空気が加熱されやすくなり、より効率的に殺菌効果のある温度まで加熱することができるようになる。
【００４３】
このように本発明の実施の形態２の手指殺菌装置１によれば、空気溜め部４内の空気をより効率的に加熱することができるようになり、従って被殺菌対象物８表面を効率よく殺菌することができるようになる。
【００４４】
また、断熱材９によって空気溜め部４内の空気温度が低下しにくくなっていることから、予め空気溜め部４内の空気を加熱し保持しておくことが可能となり、この場合被殺菌対象物８に対して殺菌効果のある温度まで加熱した空気を即座にふきつけることが可能となり、より迅速に被殺菌対象物８表面を殺菌することができる。また、例えば加熱手段５として電力を使用するものである場合、加熱された空気の放熱によるエネルギーロスが少なくなるため、エネルギー効率が良くなる。
【００４５】
また、図２において、空気溜め部４を断熱材９で構成された手指殺菌装置１を記したが、断熱材以外の材料を用いた場合であっても、例えば中空状の断熱構造をとっている物であれば空気溜め部４内の空気温度が保持、同様に空気溜め部４内の空気を効率よく加熱することが可能となる。
【００４６】
（実施の形態３）
図３は温度検知手段１０を備えた手指殺菌装置１を示している。温度検知手段１０は空気溜め部４内の空気温度を検知するよう設置されており、制御部７に検知温度を伝達できるよう配置されている。温度検知手段１０とは、例えば白金測温抵抗体やサーミスタや熱伝対等の接触型の温度センサであり空気溜め部４内の空気に接触して配置されるが、これらに限定される物でなく他の方式であっても空気溜め部４内の空気温度の情報を制御部７に伝達できる物であれば、いずれの温度検知手段１０であっても同様に正確に空気温度を制御することが可能になりなる。
【００４７】
上記構成において、温度検知手段１０で検知された情報を制御部７にフィードバックさせることによって、制御部７は空気溜め部４内の空気温度に依存して加熱手段５を制御することができ、殺菌効果のある温度まで正確に加熱することができるようになる。
【００４８】
このように本発明の実施の形態３に示した手指殺菌装置１によれば、空気溜め部４内の温度を正確に殺菌効果のある温度に上昇させることができるようになり、従って被殺菌対象物８表面の殺菌を正確に行うことができるようになる。
【００４９】
また、加熱される空気の温度が調節可能になることから、被検査対象物８に合わせて空気温度を変えることも可能となる。例えば被殺菌対象物８が手指などの皮膚表面である場合、加熱しすぎによる皮膚の熱損傷が起こるのを防止するために空気温度は１００℃以下に調節されることが望ましい。また、常に同等の殺菌効果を発揮させるためには少なくとも吹出口３から吹出される空気温度が常に一定に調節されている必要があるが、温度検知手段１０を設置することによって空気溜め部４内の空気温度を常に一定に保つことができるようになり、従って、安定した殺菌効果をもった手指殺菌装置１が得られる。
【００５０】
（実施の形態４）
図４は湿度検知手段１１を備えた手指殺菌装置１を示している。湿度検知手段１１は空気溜め部４内の空気湿度を検知するよう設置されており、制御部７に検知湿度を伝達できるよう配置されている。湿度検知手段１１とは、例えば、高分子膜湿度センサやセラミック湿度センサや電解質湿度センサなどの湿度センサが挙げられるが、これらに限定される物でなく他の方式であっても空気溜め部４内の空気湿度の情報を制御部７に伝達できる物であれば、いずれの湿度検知手段１１であってもかまわない。
【００５１】
上記構成において、湿度検知手段１１で検知された情報を制御部７にフィードバックさせることによって、制御部７は空気溜め部４内の空気湿度に依存して加熱手段５を制御することができ、殺菌効果のある温度まで正確に加熱することができるようになる。
【００５２】
このように本発明の実施の形態４に示した手指殺菌装置１によれば、空気溜め部４内の空気湿度が高い場合には加熱量を下げ、反対に空気溜め部４内の空気湿度が低い場合には、加熱量を上げ、殺菌効果をもつ空気温度に調節することができるようになる。
【００５３】
（実施の形態５）
図５は気化手段１２と水分保持手段１３を備えた手指殺菌装置１を示している。気化手段１２は空気溜め部４内に配置され、水分を気化することで空気溜め部４内の空気湿度を上昇させる。水分保持手段は一定量の水分を保持し、保持している水分を気化手段１２に供給するように配置されている。なお、水分保持手段は空気溜め部４の内側であっても外側であっても気化手段１２に水分を供給することができればいずれの場所に配置されてあってもかまわない。また、気化手段１２は制御部７によって水分の気化が制御されるように配置されている。また、気化手段１２は、例えば超音波霧化装置が挙げられるが、不織布のように吸水活性を持ち空気と接触する広い表面積をもつことによって蒸発効率を上げるものであってもかまわない。なお、これ以外の手段であっても、制御部７によって気化量が調節され得る物であればいずれの気化手段１２を用いてもかまわない。気化量の調節方法としては例えば気化手段１２が超音波霧化装置である場合、超音波振動の出力を調節することによって霧化量を調節することができ、また、気化手段１２が不織布のようなものであれば、不織布が空気と接触する表面積を調節するように不織布を折り曲げるなどの手段がある。また、水分保持手段としては水を内包し得る容器が挙げられるが、水分保持できる同時保持水分を気化することができる不織布のようなものであれば、気化手段１２と一体になっていてもかまわない。
【００５４】
上記構成において、水分保持手段１３に保持された水分が気化手段１２に供給され、気化手段１２に供給された水分が気化手段１２によって空気溜め部４内に放出され、空気溜め部４内の湿度が上昇する。
【００５５】
このように本発明の実施の形態５に示した手指殺菌装置１によれば、空気溜め部４内の空気湿度が低い場合には気化手段１２によって空気溜め部４内の湿度を上昇させることができ、加熱空気の殺菌効果を高めることができるようになる。以下に空気湿度が上昇した場合に殺菌効果が上昇する原理を説明する。大腸菌や黄色ブドウ球菌などの細菌が熱により殺菌される際、その耐熱特性は微生物周囲の環境条件に左右される事が知られており、微生物の周囲の水分、すなわち水分活性は微生物の耐熱特性に大きな影響をもたらすことが知られている。水分活性は（微生物の付着している被殺菌対象物８の水蒸気圧）／（飽和水蒸気）で表現され、すなわち相対湿度を示す。水分活性が高いと微生物の耐熱特性は低下し良く殺菌されることが知られていることから、被殺菌対象物８表面に湿度の高い空気をふきつけることで被殺菌対象物８表面に付着した微生物周囲の相対湿度を上昇させることで、効率よく殺菌することができるようになる。
【００５６】
また、被殺菌対象物８が手や指などの皮膚表面である場合、湿度の高い空気をふきつけることで皮膚表面の湿度が高くなり、潜熱による皮膚表面の冷却効果が維持され、高温の空気をふきつけても皮膚表面が熱損傷受けることなく、殺菌効果を高めることができる。
【００５７】
（実施の形態６）
図６は被殺菌対象物８までの距離を検知する距離検知手段１４を備えた手指殺菌装置１を示している。距離検知手段１４は制御部７に接続されており、吹出口３から被殺菌対象物８までの距離を測定しその情報を制御部７にフィードバックする。距離検知手段１４としては、例えば超音波方式の距離センサやレーザー式の距離センサが挙げられるが、これら以外のものであっても距離情報を制御部７へフィードバックできるものであればいずれの物でもかまわない。
【００５８】
上記構成において、吹出し口から被殺菌対象物８表面までの距離に応じて空気溜め部４内の空気の温度あるいは湿度を上昇させることができる。
【００５９】
このように本発明の実施の形態６に示した手指殺菌装置１によれば、被殺菌対象物８が手指殺菌装置１から近い距離にあるときには加熱温度を下げ、あるいは被殺菌対象物８が手指殺菌装置から遠い距離にある場合は加熱温度を上げるように制御することで、熱損傷による殺菌効果を安定させることができる。例えば被殺菌対象物８が遠く離れた場所に位置する場合は、殺菌効果をもつ温度まで加熱された空気が被殺菌対象物８表面に到達するまで放熱により冷やされてしまい十分殺菌効果を発揮することが難しくなる。このような時に被殺菌対象物８までの距離に応じて、被殺菌対象物にふきつける空気温度を上げることで、殺菌効果を維持することができる。反対に被殺菌対象物８までの距離が近い時は放熱により冷却される程度が低いため、温度を高く上昇させなくても殺菌効果を維持させることができ、空気温度を著しく上昇させる必要が無いため、エネルギー効率的にも良い。
【００６０】
（実施の形態７）
図７は被殺菌対象物８表面の温度を検知する表面温度検知手段１５を備えた手指殺菌装置１を示している。表面温度検知手段１５は制御部７に接続されており、加熱空気がふきつけられる被殺菌対象物８表面の温度を測定しその情報を制御部７にフィードバックする。  表面温度検知手段１５としては、例えばサーミスタやサーモバイルなどの熱型赤外線センサやフォトダイオードなどの量子型赤外線センサといった非接触型の温度センサが挙げられるが、ここに挙げた物以外であっても、被殺菌対象物８表面の温度情報を制御部７へフィードバックできる物であればいずれの物を用いてもかまわない。
【００６１】
上記構成において、被殺菌対象物８表面の温度に応じて空気溜め部４内の空気の温度あるいは湿度を上昇させることができる。
【００６２】
このように本発明の実施の形態７に示した手指殺菌装置１によれば、被検査対象物８表面の温度が高い場合は加熱温度を下げ、あるいは被殺菌対象物８表面の温度が低い場合は加熱温度をあげることができ、被殺菌対象物８の表面温度が異なる場合においても同様の殺菌効果を得ることができるようになり、安定した殺菌効果を得ることができるようになる。
【００６３】
（実施の形態８）
図８は被殺菌対象物８表面の湿度を検知する表面水分検知手段１６を備えた手指殺菌装置１を示している。表面水分検知手段１６は制御部７に接続されており、加熱空気がふきつけられる被殺菌対象物８表面の保持している水分を検出しその情報を制御部７にフィードバックする。表面水分検知手段１６としては、例えば誘電率計測計などの水分計測手段が挙げられ、被検査対象物８表面に接触することで表面水分を計測するが、これ以外のものであっても、計測した表面水分の情報を制御部７にフィードバックできる物であればいずれの物を用いてもかまわない。
【００６４】
上記構成において、被殺菌対象物８表面の水分量に応じて空気溜め部４内の空気の温度あるいは湿度を上昇させることができる。
【００６５】
このように本発明の実施の形態８に示した手指殺菌装置１によれば、被検査対象物８表面の保持している水分が高い場合は加熱温度を下げ、あるいは被殺菌対象物８表面の保持している水分量が低い場合は加熱温度をあげることができ、被殺菌対象物８の表面の水分保持量が異なる場合においても同様の殺菌効果を得ることができるようになり、安定した殺菌効果を得ることができるようになる。
【００６６】
（実施の形態９）
図９は吸入口２と吹出口３にフィルター１７をそれぞれ備えた手指殺菌装置１を示している。実施の形態１に記したように吸入口２と吹出口３は空気溜め部４に開口した穴であり、空気溜め部４内外へ空気が流入あるいは流出する。フィルター１７は吸入口２と吹出口３を被う様に配置され、空気溜め部４内外に流入あるいは流出する空気を濾過するように配置されている。フィルター１７は、例えばＨＥＰＡフィルターや不織布のようなエアフィルターであり、吸入口２や吹出口３への脱着が容易な物であれば、使用状況に応じて汚れてきたら取り替えることができるのでなお良い。また、これ以外で他の手段を用いて空気溜め部４内外への空気流動に伴うゴミや微生物などの除去を行うことが可能な手段であれば同様に使用する事ができる。
【００６７】
上記構成において、空気溜め部４内に流入する空気がフィルター１７によって除菌され、空気溜め部内を衛生的に保つことができるようになる。また、被検査対象物８にふきつけられる加熱空気がフィルター１７によって除菌され、被殺菌対象物にゴミや微生物などをふきつけることを防止できるので、より衛生的に殺菌を行うことができるようになる。
【００６８】
このように本発明の実施の形態９に示した手指殺菌装置１によれば、空気溜め部４内外に流入あるいは流出される空気中のゴミや微生物を除去することで、衛生状態を向上させることができる。
【００６９】
また、空気溜め部４内への雑菌の侵入も防止できるため、空気溜め部４内の雑菌の繁殖も防止できる。
【００７０】
また、被殺菌対象物８にふきつける加熱空気に含まれるゴミや微生物を除去することで、非殺菌対象物へゴミや雑菌をふきつける事を防止できるため、殺菌効果を高めることができる。
【００７１】
（実施の形態１０）
図１０は光照射手段１８を備えた手指殺菌装置１を示している。  光照射手段１８は制御部７によって制御されるように配置されており、光照射手段１８からの光放射が被殺菌対象物８の表面に当たるように設置されている。光照射手段１８として、例えば石英管やハロゲンランプなどの遠赤外線照射装置が挙げられるが、これ以外のものであっても放射される光に殺菌効果が認められる物であり制御部７に放射が調節される物であればいずれの物でもかまわない。
【００７２】
上記構成において、加熱空気が被殺菌対象物８表面にふきつけられるのと連動して、例えば遠赤外線などの光が被殺菌対象物８表面に放射される。
【００７３】
このように本発明の実施の形態１０に示した手指殺菌装置１によれば、加熱空気がふきつけられる事による熱殺菌効果に、例えば遠赤外線などの光照射による殺菌効果が加わり、被殺菌対象物８表面の殺菌効果を向上させることができる。
【００７４】
（実施の形態１１）
図１１はイオン化手段１９を備えた手指殺菌装置１を示している。イオン化手段１９は制御部７によって制御されるように配置されており、空気溜め部４内の空気中の分子に正あるいは負の電荷を付与することができるように設置されている。イオン化手段１９としては、例えば沿面放電を利用したオゾン発生装置や酸素クラスターを発生させる装置が挙げられるが、これ以外の手段や装置であっても、空気中の分子に正あるいは負の電荷を付与することができ制御部７によって制御され得る物であればいずれの物であってもかまわない。
【００７５】
上記構成において、被殺菌対象物８にふきつけられる加熱空気が正あるいは負の電荷を帯びイオン化される様になる。
【００７６】
このように本発明の実施の形態１１に示した手指殺菌装置１によれば、加熱空気がふきつけられる事による熱殺菌効果に、空気中のイオン化された分子による酸化還元反応による殺菌効果が加えられ殺菌効果を向上させることができる。
【００７７】
（実施の形態１２）
図１２は手指殺菌装置１を備えた手洗乾燥機２０を示している。手指殺菌装置１は実施の形態１〜１１に記載したいずれの手指殺菌装置１であってもかまわない。また、手指殺菌装置１は手洗乾燥機２０のどこに設置されていてもかまわないが、手指殺菌装置１は手洗乾燥機２０が使用されるときに手洗乾燥機２０の使用状況に連動し使用される。また、手指殺菌装置１から吹出される加熱空気が手洗乾燥機２０に挿入された手にふきつけられる様に配置されていることが望ましい。手洗乾燥機２０とは、手を挿入することで手を洗浄し乾燥することのできる装置であって、通常公共トイレや食堂などの手を洗う必要のある場所に設置される装置である。
【００７８】
上記構成において、手洗乾燥機２０が使用される際、手洗乾燥機２０の使用状況に応じて手指殺菌装置１を用いた殺菌を行うことができるようになる。
【００７９】
このように本発明の実施の形態１２に示した手洗乾燥機２０によれば、手を洗う際に手に付着している雑菌などの殺菌消毒が不十分であったとしても、手指殺菌装置１による殺菌を行うことができるため、より衛生的に手洗浄を行うことができる。
【００８０】
（実施の形態１３）
図１３は手指殺菌装置１を備えたトイレ用便座２１を示している。手指殺菌装置１は実施の形態１〜１１に記載したいずれの手指殺菌装置１であってもかまわない。また、手指殺菌装置１はトイレ用便座２１のどこに設置されていてもかまわないが、手指殺菌装置１はトイレ用便座２１が使用されるときにトイレ用便座２１の使用状況に連動し使用される。また、手指殺菌装置１から吹出される加熱空気がトイレ用便座２１に着座したひとの尻表面にふきつけられるよう配置してあることが望ましい。
【００８１】
上記構成において、トイレ用便座２１に着座し排泄物を排せつする際に、トイレ用便座２１から殺菌効果のある加熱風が吹出されるようになる。
【００８２】
このように本発明の実施の形態１３に示したトイレ用便座２１によれば、トイレ用便座２１に着座した人の尻表面が使用状況に応じて殺菌消毒されるようになる。
【００８３】
また、使用後のトイレ用便座２１を殺菌消毒することも可能になる。
【産業上の利用可能性】
【００８４】
本発明の手指殺菌装置１を用いることで、アルコールや消毒液などを使用することなく、安全かつ簡単に殺菌消毒作業を行うことができる。また、手や指などを殺菌対象とした場合であってもアレルギーや肌荒れなどを起こすことなく、安全に安定した殺菌消毒を行うことができる。また、本発明の手指殺菌装置１を手洗乾燥機２０やトイレ用便座２１に取り付けることで、殺菌消毒機能を付与することができるようになる。
【図面の簡単な説明】
【００８５】
【図１】本発明の実施の形態１の手指殺菌装置を示す図
【図２】本発明の実施の形態２の手指殺菌装置を示す図
【図３】本発明の実施の形態３の手指殺菌装置を示す図
【図４】本発明の実施の形態４の手指殺菌装置を示す図
【図５】本発明の実施の形態５の手指殺菌装置を示す図
【図６】本発明の実施の形態６の手指殺菌装置を示す図
【図７】本発明の実施の形態７の手指殺菌装置を示す図
【図８】本発明の実施の形態８の手指殺菌装置を示す図
【図９】本発明の実施の形態９の手指殺菌装置を示す図
【図１０】本発明の実施の形態１０の手指殺菌装置を示す図
【図１１】本発明の実施の形態１１の手指殺菌装置を示す図
【図１２】本発明の実施の形態１２の手洗乾燥機を示す図
【図１３】本発明の実施の形態１３のトイレ用便座を示す図
【図１４】従来の殺菌装置を示す図
【符号の説明】
【００８６】
１  手指殺菌装置
２  吸入口
３  吹出口
４  空気溜め部
５  加熱手段
６  送風手段
７  制御部
８  被殺菌対象物
９  断熱材
１０  温度検知手段
１１  湿度検知手段
１２  気化手段
１３  水分保持手段
１４  距離検知手段
１５  表面温度検知手段
１６  表面水分検知手段
１７  フィルター
１８  光照射手段
１９  イオン化手段
２０  手洗乾燥機
２１  トイレ用便座
【図１】
2006247098.tif 000003
【図２】
2006247098.tif 000004
【図３】
2006247098.tif 000005
【図４】
2006247098.tif 000006
【図５】
2006247098.tif 000007
【図６】
2006247098.tif 000008
【図７】
2006247098.tif 000009
【図８】
2006247098.tif 000010
【図９】
2006247098.tif 000011
【図１０】
2006247098.tif 000012
【図１１】
2006247098.tif 000013
【図１２】
2006247098.tif 000014
【図１３】
2006247098.tif 000015
【図１４】
2006247098.tif 000016